(57)【要約】【課題】電池のもちをよくすることができるデジタルカメラを提供する。【解決手段】ＣＣＤ４４への被写体光の入射光路を開閉するメカニカルシャッタ４２は、ソレノイドドライバ４２Ａに駆動される。ソレノイドドライバ４２Ａには、ＣＰＵ３６からＴＧ４６を介して駆動パルスが与えられ、この駆動パルスに基づき電子ボリューム８６で設定された駆動電圧をメカニカルシャッタ４２に加えてメカニカルシャッタ４２を作動させる。この際、メカニカルシャッタ４２に加える駆動電圧は、電池３８の残容量に応じて設定され、電池３８の残容量が少なくなると、駆動電圧が下げられる。これにより、電池のもちをよくする。【選択図】    図３
2004153475.tif 000002
【特許請求の範囲】
【請求項１】
電池を電源として動作するとともに、撮像素子への入射光路を開閉するメカニカルシャッタを備え、設定された露光時間で前記撮像素子を露光後、前記メカニカルシャッタを閉じて前記撮像素子への入射光路を遮蔽するデジタルカメラにおいて、
前記メカニカルシャッタの駆動電圧を調節する駆動電圧調節手段と、
前記電池の残容量を検出する検出手段と、
前記検出手段で検出された残容量が、あらかじめ設定された基準容量以上のときは、通常モードとして、あらかじめ設定された基準電圧で前記メカニカルシャッタが駆動されるように前記駆動電圧調節手段を制御し、前記検出手段で検出された残容量が、前記基準容量未満のときは、省電モードとして、前記基準電圧よりも低く設定された省電電圧で前記メカニカルシャッタが駆動されるように前記駆動電圧調節手段を制御する制御手段と、
を備えたことを特徴とするデジタルカメラ。
【請求項２】
警告を発生する警告手段を備え、前記制御手段は、前記省電モード下で前記撮像素子の露光時間が、あらかじめ設定された基準露光時間以下に設定されると、前記警告手段に警告を発生させることを特徴とする請求項１に記載のデジタルカメラ。
【請求項３】
前記通常モードと前記省電モードとを切り替える切替手段を備えたことを特徴とする請求項１又は２に記載のデジタルカメラ。
【発明の詳細な説明】
【０００１】
【発明の属する技術分野】
本発明はデジタルカメラに係り、特にメカニカルシャッタと電子シャッタとを併用して露光時間を制御するデジタルカメラに関する。
【０００２】
【従来の技術】
撮像素子を用いて被写体の光学像をデジタル信号に変換して記録するデジタルカメラは、電子シャッタで撮像素子の電荷蓄積時間を制御することにより、適正な露光量を得ている。
【０００３】
しかしながら、電子シャッタのみで撮像素子の電荷蓄積時間を制御すると、電荷の転送期間中に撮像素子に入射する光によってスミア等が発生するという問題がある。
【０００４】
このため、多くのデジタルカメラは、電子シャッタとメカニカルシャッタを併用して露光を制御するようにしている。すなわち、撮像素子の前段にメカニカルシャッタを設置し、露光終了と同時に、このメカニカルシャッタを閉じることにより、撮像素子に不要な光が入射するのを防止するようにしている（たとえば、特許文献１、２、３）。このメカニカルシャッタは、駆動電圧が高いほど安定して動作させることができ、精度よく制御することができる。
【０００５】
【特許文献１】
特開平９−８３８７５号公報
【０００６】
【特許文献２】
特開平１１−２３４５５２号公報
【０００７】
【特許文献３】
特開平１１−２３４５５３号公報
【０００８】
【発明が解決しようとする課題】
しかしながら、メカニカルシャッタを高い電圧で駆動すると、電流のピークが発生するため、電池を使用したシステムでは、電圧降下が起こり、ＣＰＵが暴走したり、信号処理が正常にできなくなるという欠点がある。
【０００９】
また、この電圧降下を考慮して、バッテリーエンド（システムがダウンする電圧）を高く設定すると、電池で使用できる時間が短くなる（撮影可能枚数が少なくなる）という欠点がある。
【００１０】
本発明はこのような事情に鑑みて成されたもので、電池のもちをよくすることができるデジタルカメラを提供することを目的とする。
【００１１】
【課題を解決するための手段】
請求項１に係る発明は、前記目的を達成するために、電池を電源として動作するとともに、撮像素子への入射光路を開閉するメカニカルシャッタを備え、設定された露光時間で前記撮像素子を露光後、前記メカニカルシャッタを閉じて前記撮像素子への入射光路を遮蔽するデジタルカメラにおいて、前記メカニカルシャッタの駆動電圧を調節する駆動電圧調節手段と、前記電池の残容量を検出する検出手段と、前記検出手段で検出された残容量が、あらかじめ設定された基準容量以上のときは、通常モードとして、あらかじめ設定された基準電圧で前記メカニカルシャッタが駆動されるように前記駆動電圧調節手段を制御し、前記検出手段で検出された残容量が、前記基準容量未満のときは、省電モードとして、前記基準電圧よりも低く設定された省電電圧で前記メカニカルシャッタが駆動されるように前記駆動電圧調節手段を制御する制御手段と、を備えたことを特徴とするデジタルカメラを提供する。
【００１２】
また、請求項２に係る発明は、前記目的を達成するために、警告を発生する警告手段を備え、前記制御手段は、前記省電モード下で前記撮像素子の露光時間が、あらかじめ設定された基準露光時間以下に設定されると、前記警告手段に警告を発生させることを特徴とする請求項１に記載のデジタルカメラを提供する。
【００１３】
また、請求項３に係る発明は、前記目的を達成するために、前記通常モードと前記省電モードとを切り替える切替手段を備えたことを特徴とする請求項１又は２に記載のデジタルカメラを提供する。
【００１４】
本発明によれば、電池の残容量が少なくなると、メカニカルシャッタの駆動電圧を下げる。これにより、電池で使用できる時間が長くなり、１枚でも多くの撮影が可能になる。
【００１５】
【発明の実施の形態】
以下、添付図面に従って本発明に係るデジタルカメラの好ましい実施の形態について詳説する。
【００１６】
図１、図２は、それぞれ本発明が適用されたデジタルカメラの一実施形態を示す正面図と背面図である。
【００１７】
デジタルカメラ１０のカメラ本体１２は、矩形の箱状に形成されており、その正面には撮影レンズ１４、ファインダー窓１６、セルフタイマーランプ１８等が設けられている。また、カメラ本体１２の上面には、レリーズボタン２０、ポップアップ式のストロボ２２が設けられ、背面には、ファインダ接眼部２３、電源ボタン２４、モードレバー２６、十字ボタン２８、メニュー／ＯＫボタン３０、キャンセルボタン３２、ファインダランプ３３、液晶モニタ３４等が設けられている。
【００１８】
カメラ本体１２の背面に設けられたモードレバー２６は、カメラのモード設定に用いられ、このモードレバー２６の位置を変えることにより、カメラのモードが「撮影モード」と「再生モード」に選択的に設定される。
【００１９】
十字ボタン２８は、対応する４方向の指示を入力するボタンとして使用され、この十字ボタン２８でメニュー画面からメニュー項目を選択したり、各種設定項目を選択したりする（たとえば、露出モード（プログラムＡＥや絞り優先ＡＥ、シャッタ速度優先ＡＥ、マニュアルＡＥ等）の選択や露出補正、ホワイトバランス補正、シャッタ速度の設定や絞り値の設定等）。また、この十字ボタン２８のうち上下のボタンは、撮影モード下でズームボタンとして機能し、左右のボタンは、再生モード下でコマ送り・コマ戻しボタンとして機能する。
【００２０】
また、メニュー／ＯＫボタン３０は、メニュー画面の表示や選択内容の確定、実行などに使用され、キャンセルボタン３２は、メニューから選んだ項目の取消や一つ前の操作状態に戻る際に使用される。
【００２１】
液晶モニタ３４は、メニューの表示画面として使用されるとともに、再生モード下で撮影した画像の再生用モニタとして使用される。また、撮影モード下において、画角確認用の電子ビューファインダとしても使用される。
【００２２】
図３は、本実施の形態のデジタルカメラ１０の内部構造を示すブロック図である。
【００２３】
同図において、中央処理装置（ＣＰＵ）３６は、本実施の形態のデジタルカメラ１０を統括制御する制御部であり、ＲＯＭ３７に記録されたプログラムに従って各構成回路を制御する。
【００２４】
カメラの電源は、カメラ本体１２に装着された電池３８から供給される。カメラ本体１２に装着された電池３８の電力は、電源回路３８Ａに備えられたＤＣ／ＤＣコンバータによって所要の電圧に変換された後、電源回路３８Ａによりカメラ内の各回路に供給される。
【００２５】
また、カメラ本体１２に装着された電池３８は、電圧検出回路３９によって電圧値が検出される。電圧検出回路３９で検出された電池３８の電圧値は、電圧検出回路３９に備えられたＡ／Ｄ変換器を介してＣＰＵ３６に入力される。ＣＰＵ３６は、この電圧検出回路３９で検出された電圧値に基づいて電池３８の残量を算出する。
【００２６】
また、上述したように、本実施の形態のデジタルカメラ１０は、モードレバー２６を回動操作することによって、カメラのモードが「撮影モード」と「再生モード」とに設定される。すなわち、カメラ本体１２の背面に設けられたモードレバー２６を回動操作して、その先端をカメラのマークの位置に設定することにより、カメラが「撮影モード」に設定され、再生のマークの位置に設定することにより、「再生モード」に設定される。
【００２７】
ここで、このモードレバー２６は、カメラ本体１２に内蔵されたモードスイッチ２６Ａに接続されており、モードスイッチ２６Ａは、このモードレバー２６の回動操作に連動して、その接点の接続先を切り替える。すなわち、モードレバー２６を「撮影モード」に設定すると、その接点がａ端子に接続され、「再生モード」に設定すると、ｂ端子に接続される。ＣＰＵ３６には、このモードスイッチ２６Ａの接続状況を示す信号が出力され、ＣＰＵ３６は、この信号に基づいてカメラの設定モードを検出する。
【００２８】
さて、撮影モードの下、撮影レンズ１４に入射した被写体光は、ターレット型絞り４０及びメカニカルシャッタ４２を介して撮像素子４４の受光面に入射される。
【００２９】
撮像素子４４には、ＣＣＤ型、ＭＯＳ型、ＣＩＤ型などの公知の撮像素子が用いられ、この撮像素子４４によって被写体光が電気信号に光電変換される。なお、本実施の形態のデジタルカメラ１０ではＣＣＤ型撮像素子（以下、「ＣＣＤ」）が採用される。
【００３０】
ＣＣＤ４４の受光面には、多数のフォトセンサが２次元的に配列されており、受光面に入射された被写体光は、各フォトセンサによって入射光量に応じた量の信号電荷に変換される。そして、各フォトセンサに蓄積された信号電荷は、タイミングジェネレータ（ＴＧ）４６から与えられるタイミングパルスに従って読み出され、垂直転送路及び水平転送路を介して信号電荷に応じた電圧信号（画像信号）として出力される。
【００３１】
また、このＣＣＤ４４は、ＴＧ４６から与えられる電荷掃き出しパルスによって各フォトセンサに蓄積された信号電荷を掃き捨てる機能を備えており、この電荷掃き出しパルスによって各フォトセンサに蓄積される電荷の蓄積時間（シャッタスピード）が制御される（いわゆる電子シャッタ機能）。なお、このＣＣＤ４４の露光制御については、後に詳述する。
【００３２】
ＣＣＤ４４から出力された画像信号は、相関二重サンプリング回路・増幅器（ＣＤＳ・ＡＧＣ）４８に加えられ、ここで相関二重サンプリング処理、色分離処理などの信号処理が施された後、各色信号の信号レベルの調整が行なわれる。そして、Ａ／Ｄ変換器５０に加えられ、アナログからデジタルの画像信号に変換されて出力される。
【００３３】
Ａ／Ｄ変換器５０から出力された画像信号は、画像入力コントローラ５１を介して画像信号処理回路５２に入力される。そして、この画像信号処理回路５２において、オフセット処理、ホワイトバランス補正及び感度補正を含むゲインコントロール処理、ガンマ補正処理等の所定の信号処理が施された後、ＶＲＡＭ５４に出力される。
【００３４】
ＶＲＡＭ５４には、それぞれ１コマ分の画像データを記憶するＡ領域とＢ領域とが含まれており、このＡ領域とＢ領域に１コマ分の画像データが交互に書き換えられる。そして、このＶＲＡＭ５４のＡ領域とＢ領域から交互に画像データが読み出され、ビデオエンコーダ５６を介して液晶モニタ３４に出力される。これにより、液晶モニタ３４に画角確認用のスルー画が表示される。
【００３５】
レリーズボタン２０は、いわゆる「半押し」と「全押し」の２段構造とされており、「半押し」でＳ１信号が出力され、「全押し」でＳ２信号が出力される。ＣＰＵ３６は、このレリーズボタン２０から出力されるＳ１信号とＳ２信号を検出することにより、レリーズボタン２０の「半押し」と「全押し」を検出する。そして、「半押し」を検出することにより、ピント合わせと測光を行い、「全押し」を検出することにより、撮影を実行する。
【００３６】
レリーズボタン２０が半押しされると、まず、Ａ／Ｄ変換器５０から出力された画像信号が、画像入力コントローラ５１を介してＡＦ検出回路５８とＡＥ／ＡＷＢ検出回路６０に入力される。
【００３７】
ＡＦ検出回路５８は、入力された画像データに基づいて画像のコントラスト情報をＣＰＵ３６に出力する。
【００３８】
一方、ＡＥ／ＡＷＢ検出回路６０は、撮像領域をたとえば６４分割（水平方向８・垂直方向８）して得られる各分割領域ごとにＲＧＢの画像データをＲＧＢごとに積算し、求めた各分割領域ごとのＲＧＢごとの積算データをＣＰＵ３６に出力する。
【００３９】
ＣＰＵ３６は、ＡＦ検出回路５８から出力されたコントラスト情報に基づいてモータドライバ１４Ａに駆動信号を出力し、被写体にピントが合うように撮影レンズ１４を駆動制御する。
【００４０】
また、ＣＰＵ３６は、ＡＥ／ＡＷＢ検出回路６０から出力された各分割領域ごとのＲＧＢごとの積算データに基づいて被写体の明るさ（撮影Ｅｖ値）を算出し、この撮影Ｅｖ値に基づいて絞り値（Ｆ値）とシャッタスピード（露光時間）を決定する。
【００４１】
以上によりピント合わせと測光が行なわれ、この状態からレリーズボタン２０が全押しされると、撮影処理が行なわれる。
【００４２】
まず、ＣＰＵ３６は、モータドライバ３６Ａに駆動信号を出力し、決定したＦ値になるように絞り４０を駆動制御するとともに、決定したシャッタスピードに基づいてＣＣＤ４４の電荷蓄積時間を制御する。
【００４３】
このようにして撮影された１コマ分の画像データは、ＣＣＤ４４からＣＤＳ・ＡＧＣ４８、Ａ／Ｄ変換器５０、画像入力コントローラ５１を介してメモリ（ＳＤＲＡＭ）６２に入力される。そして、ＳＤＲＡＭ６２から画像信号処理回路５２に出力され、この画像信号処理回路５２によって輝度データ及び色差データの生成処理（ＹＣ処理）を含む所定の信号処理が施される。
【００４４】
ＹＣ処理が施された画像データは、一度ＳＤＲＡＭ６２に格納されたのち、圧縮伸長処理回路６４に出力され、この圧縮伸長処理回路６４によってＪＰＥＧ等の所定の形式に従った圧縮処理が施される。
【００４５】
圧縮された画像データは、ＳＤＲＡＭ６２に格納された後、メディアコントローラ６６に出力され、このメディアコントローラ６６を介してカードスロットに装填されたメモリカード６８に記録される。
【００４６】
以上のようにしてメモリカード６８に記録された画像データは、カメラのモードを再生モードに設定することでメモリカード６８から読み出され、液晶モニタ３４に表示される。この場合、まず、メモリカード６８に記録された画像データが、メディアコントローラ６６を介してメモリカード６８からＳＤＲＡＭ６２に読み出される。そして、ＳＤＲＡＭ６２から圧縮伸張処理回路６４に出力され、圧縮された画像データが伸張される。この後、伸張された画像データは、ＳＤＲＡＭ６２に記憶された後、ＳＤＲＡＭ６２からビデオエンコーダ５６に出力され、ビデオエンコーダ５６を介して液晶モニタ３４に表示される。
【００４７】
さて、図３に示すように、本実施の形態のデジタルカメラ１０には、ＣＣＤ４４の前段にメカニカルシャッタ４２が設置されている。このメカニカルシャッタ４２は、撮影レンズ１４及び絞り４０を介してＣＣＤ４４の受光面に入射される被写体光の入射光路を開閉するもので、ＣＣＤ４４の露光終了に同時に閉められて、ＣＣＤ４４への不要な光の入射を防止する。すなわち、メカニカルシャッタ４２は、露光の終点を規定する。
【００４８】
図４は、メカニカルシャッタ４２の構成を示す正面図である。同図に示すように、メカニカルシャッタ４２は、シャッタ板７０に形成された円形状の開口部７０Ａをシャッタ羽根７２で開閉することにより、ＣＣＤ４４への被写体光の入射光路を開閉する。
【００４９】
シャッタ羽根７２は、円盤状に形成されており、揺動アーム７４の先端に取り付けられている。揺動アーム７４は、その基端部に連結された回転軸７６を軸受７８に軸支されており、一対のストッパ８０Ａ、８０Ｂの間を揺動する。そして、この揺動アーム７４が、一方のストッパ８０Ａに当接することにより、シャッタ板７０に形成された開口部７０Ａがシャッタ羽根７２で閉じられ、他方側のストッパ８０Ａに当接することにより、開口部７０Ａが開けられる。
【００５０】
ここで、この揺動アーム７４の駆動は、一対の電磁石８２Ａ、８２Ｂで行なわれる。すなわち、一方の電磁石８２Ａに駆動電圧を印加すると、揺動アーム７４に固着された鉄片８４が一方の電磁石８２Ａに吸引され、一方のストッパ８０Ａに当接する。これにより、シャッタ板７０の形成された開口部７０Ａがシャッタ羽根７２で閉じられる。また、他方の電磁石８２Ｂに駆動電圧を印加すると、揺動アーム７４に固着された鉄片８４が他方の電磁石８２Ｂに吸引され、他方のストッパ８０Ｂに当接する。これにより、シャッタ板７０の形成された開口部７０Ａが開けられる。このように、メカニカルシャッタ４２は、一対の電磁石８２Ａ、８２Ｂに選択的に駆動電圧を印加することにより開閉される。
【００５１】
ここで、この一対の電磁石８２Ａ、８２Ｂへの駆動電圧の印加は、図３に示すように、ソレノイドドライバ４２Ａを介して行なわれ、ソレノイドドライバ４２Ａは、ＴＧ４６から出力されるメカニカルシャッタ駆動パルスに基づいて電磁石８２Ａ、８２Ｂに駆動電圧を印加する。ＣＰＵ３６は、このＴＧ４６から出力するメカニカルシャッタ駆動パルスを設定する。
【００５２】
また、この一対の電磁石８２Ａ、８２Ｂに印加する駆動電圧は、電子ボリューム（ＥＶＲ・Ｄ／Ａ）８６で調節され、ＣＰＵ３６は、この電子ボリューム８６から出力されるメカニカルシャッタ４２の駆動電圧を設定する。この際、ＣＰＵ３６は、電池３８の残容量に応じてメカニカルシャッタ４２の駆動電圧を設定する。
【００５３】
すなわち、電圧検出回路３９を介して検出した電池３８の残容量Ｃが、あらかじめ設定された基準容量ＣＯ  以上のとき（ＣＯ  ≦Ｃ）は、通常モードとして、あらかじめ設定された基準電圧ＶＯ  を駆動電圧に設定する。一方、電池３８の残容量Ｃが、あらかじめ設定された基準容量ＣＯ  未満のとき（ＣＯ  ＞Ｃ）は、省電モードとして、前記基準電圧ＶＯ  よりも低く設定された省電電圧Ｖ１  （Ｖ１  ＜ＶＯ  ）を駆動電圧に設定する。
【００５４】
ここで、メカニカルシャッタ４２は、駆動電圧が低いと、動作のバラツキが大きくなり、安定した制御ができなくなるおそれがあるが、このメカニカルシャッタ４２の動作のバラツキが撮影画像に及ぼす影響は、シャッタスピードが速いとき（露光時間が短いとき）だけであり、シャッタスピードが遅くなるに従って、その影響は小さくなってゆく。
【００５５】
そこで、ＣＰＵ３６は、省電モード下でシャッタスピードが、あらかじめ設定された基準速度以上に設定されると（露光時間が基準露光時間以下に設定されると）、ファインダ接眼部２３の脇に設けられたファインダランプ（ＬＥＤ）３３を点滅させ、撮影者に警告を促す。
【００５６】
以下、このメカニカルシャッタ４２の駆動制御を含むＣＣＤ４４の露光制御について説明する。
【００５７】
図５は、ＣＣＤの露光制御時のタイミングチャートである。同図において、▲１▼は垂直同期信号（ＶＤ）、▲２▼は電荷読出しパルス、▲３▼は電荷掃き出しパルス、▲４▼は通常モード時のメカニカルシャッタ動作、▲４▼’は省電モード時のメカニカルシャッタ動作、▲５▼はメカニカルシャッタ駆動パルス（閉）、▲６▼はメカニカルシャッタ駆動パルス（開）、▲７▼は電力信号を示している。
【００５８】
ＣＣＤ４４の受光部に蓄積されている電荷は、電荷掃き出しパルスを印加することにより、掃き出しドレイン（基板側）に掃き出され、これにより、露光期間の開始位置が制御される。なお、電荷掃き出しパルスの開始位置は、電荷読出しパルスによって制御される。
【００５９】
一方、露光期間の終了位置は、ソレノイドドライバ４２Ａにメカニカルシャッタ駆動パルス（閉）▲５▼を印加して、メカニカルシャッタ４２を閉じ、ＣＣＤ４４の受光部に入射される被写体光を遮ることにより制御される。
【００６０】
そして、この露光終了後、電荷読出しパルス▲２▼を印加することにより、ＣＣＤ４４の受光部に蓄積された電荷が読み出され、垂直転送路及び水平転送路を介して信号電荷に応じた画像信号として出力される。
【００６１】
なお、本例では２フィールド読出し、すなわち１フィールド目で奇数ライン（ＲＧライン又はＢＧラインの一方）の電荷が読み出され、２フィールド目で偶数ライン（ＲＧライン又はＢＧラインの他方）の電荷が読み出される。
【００６２】
そして、この電荷読出し後、ソレノイドドライバ４２Ａにメカニカルシャッタ駆動パルス（開）▲６▼が印加され、メカニカルシャッタ４２が開けられるとともに、読み出された電荷信号に対して信号処理が施される。
【００６３】
さて、上記のように露光の終点は、メカニカルシャッタ４２を閉じることにより規定される。そして、このメカニカルシャッタ４２は、ソレノイドドライバ４２Ａにメカニカルシャッタ駆動パルスを印加することにより開閉される。ソレノイドドライバ４２Ａは、このメカニカルシャッタ駆動パルスが印加されると、ＣＰＵ３６に設定された駆動電圧Ｖを電磁石８２Ａ、８２Ｂに印加し、メカニカルシャッタ４２を開閉する。
【００６４】
ここで、ＣＰＵ３６は、電池３８の残容量に応じて駆動電圧Ｖを設定し、電圧検出回路３９を介して検出した電池３８の残容量Ｃが基準容量ＣＯ  以上のときは、通常モードとして基準電圧ＶＯ  を駆動電圧に設定する。一方、電池３８の残容量Ｃが基準容量ＣＯ  未満のときは、省電モードとして省電電圧Ｖ１  （Ｖ１  ＜ＶＯ  ）を駆動電圧に設定する。
【００６５】
このように、ＣＰＵ３６は、電池３８の残容量に応じてメカニカルシャッタ４２の駆動電圧Ｖを設定する。これにより、電池３８で使用できる期間が長くなり、１枚でも多くの撮影が可能になる。
【００６６】
しかしながら、図５に示すように、メカニカルシャッタ４２の駆動電圧を低くすると、メカニカルシャッタ４２の動作のバラツキが大きくなり、安定した露光制御ができなくなるおそれがある。
【００６７】
一方、図６に示すように、メカニカルシャッタ４２の動作のバラツキが撮影画像に及ぼす影響はシャッタスピードが速いほど大きくなり、シャッタスピードが遅くなるに従って小さくなる（露光時間が長くなるに従って小さくなる。）。すなわち、シャッタスピードが速いと全露光時間に占めるバラツキの割合が高くなり、それだけ撮影画像に影響を及ぼすが、シャッタスピードが遅いと、全露光時間に占めるバラツキの割合が減り、撮影画像に影響を及ぼしにくくなる。
【００６８】
そこで、ＣＰＵ３６は、省電モードに設定された場合において、測光の結果、基準速度以上のシャッタスピードに設定されると（基準露光時間以下の露光時間に設定されると）、ファインダランプ３３を点滅させ、撮影者に警告を促す。
【００６９】
撮影者は、この警告に基づいて撮影を実行するか否かを判断する。すなわち、撮影画像に影響を及ぼすおそれがあることを承知した上で撮影を実行するか、撮影条件（シャッタスピード又は絞り値）を変えて撮影するかを判断する。これにより、撮影画像に影響を及ぼすことなく、電池３８で使用できる時間を延ばすことができる。
【００７０】
なお、省電モードに設定された場合、そのことを示す表示を液晶モニタ３４に表示させるようにしてもよい。これにより、撮影者はシャッタスピードに関わらずメカニカルシャッタ４２の動作のバラツキが大きくなるおそれがあることを認識できるようになる。
【００７１】
また、液晶モニタ３４に表示させるのではなく、専用の表示手段に表示させるようにしてもよい（たとえば、専用のＬＥＤランプの点灯や別途設置した液晶パネルに表示させる。）
以上説明したように、本実施の形態のデジタルカメラ１０によれば、電池３８の残容量に応じてメカニカルシャッタ４２が駆動電圧が変えられる。これにより、電池３８で使用できる期間が長くなり、電池３８を効率よく使用できるようになる。
【００７２】
なお、本実施の形態では、電池３８の残容量が基準容量以上の場合は、基準電圧でメカニカルシャッタ４２を駆動し、電池３８の残容量が基準容量を下回ると、省電電圧でメカニカルシャッタ４２を駆動するようにしているが、電池３８の残容量に応じて段階的に駆動電圧を変えるようにしてもよい。すなわち、電池３８の残容量が少なくなるに従って段階的に駆動電圧を下げるように制御する。
【００７３】
また、本実施の形態では、メカニカルシャッタ４２を電磁石８２Ａ、８２Ｂで駆動しているが、メカニカルシャッタの駆動手段は、これに限定されるものではなく、たとえばモータで駆動してもよい。
【００７４】
また、メカニカルシャッタの構造は、本実施の形態のものに限定されるものではなく、他の構造のものを用いてもよい。
【００７５】
また、本実施の形態では、電池３８の残容量に応じて自動的にメカニカルシャッタ４２の駆動電圧を変えるようにしているが、省電モードと通常モードの切り替えを手動で設定するようにしてもよい。たとえば、メニュー項目として省電モードと通常モードの設定をできるように構成する。
【００７６】
【発明の効果】
以上説明したように、本発明によれば、メカニカルシャッタの駆動電圧が調整可能に構成され、電池の残容量が少なくなると、そのメカニカルシャッタの駆動電圧が下げられる。これにより、電池で使用できる時間が延び、１枚でも多くの撮影ができるようになる。
【図面の簡単な説明】
【図１】本発明が適用されたデジタルカメラの一実施形態を示す正面図
【図２】本発明が適用されたデジタルカメラの一実施形態を示す背面図
【図３】デジタルカメラの内部構造を示すブロック図
【図４】メカニカルシャッタの構成を示す正面図
【図５】ＣＣＤの露光制御時のタイミングチャート
【図６】ＣＣＤの露光制御時のタイミングチャート
【符号の説明】
１０…デジタルカメラ、１２…カメラ本体、１４…撮影レンズ、１６…ファインダー窓、１８…セルフタイマーランプ、２０…レリーズボタン、２２…ストロボ、２３…ファインダ接眼部、２４…電源ボタン、２６…モードレバー、２６Ａ…モードスイッチ、２８…十字ボタン、３０…メニュー／ＯＫボタン、３２…キャンセルボタン、３３…ファインダランプ、３４…液晶モニタ、３６…中央処理装置（ＣＰＵ）、３７…ＲＯＭ、３８…電池、３８Ａ…電源回路、３９…電圧検出回路、４０…絞り、４２…メカニカルシャッタ、４２Ａ…ソレノイドドライバ、４４…撮像素子（ＣＣＤ）、４６…タイミングジェネレータ（ＴＧ）、４８…相関二重サンプリング回路・増幅器（ＣＤＳ・ＡＧＣ）、５０…Ａ／Ｄ変換器、５１…画像入力コントローラ、５２…画像信号処理回路、５４…ＶＲＡＭ、５６…ビデオエンコーダ、５８…ＡＦ検出回路、６０…ＡＥ／ＡＷＢ検出回路、６２…メモリ（ＳＤＲＡＭ）、６４…圧縮伸長処理回路、６６…メディアコントローラ、６８…メモリカード、７０…シャッタ板、７０Ａ…開口部、７２…シャッタ羽根、７４…揺動アーム、７６…回転軸、７８…軸受、８０Ａ、８０Ｂ…ストッパ、８２Ａ、８２Ｂ…電磁石、８４…鉄片、８６…電子ボリューム（ＥＶＲ・Ｄ／Ａ）
【図１】
2004153475.tif 000003
【図２】
2004153475.tif 000004
【図３】
2004153475.tif 000005
【図４】
2004153475.tif 000006
【図５】
2004153475.tif 000007
【図６】
2004153475.tif 000008